(57)【要約】  【課題】  遮蔽材支持部材に対して独立的に取り付けることができるブラインドカバーを有するブラインドを提供する  【解決手段】  巻取パイプ１２、サイドブラケット１４及びセットフレーム１６からなる遮蔽材支持部材は、固定取付面に固定されたブラインド支持ブラケット２２に取付用ブラケット２０によって着脱可能に取り付けられ、ブラインドカバー３０は、遮蔽材支持部材の前側を覆う前側カバー３２と、遮蔽材支持部材の後側を覆う後側カバー３４とからなり、前側カバー３２及び後側カバー３４は、互いに独立的にブラインド支持ブラケット２２に取り付けられ、遮蔽材支持部材がブラインド支持部材に取り付けられた状態で前側カバー３２及び後側カバー３４はブラインド支持部材２２に対して着脱可能である。【選択図】  図４
2006214102.tif 000002
【特許請求の範囲】
【請求項１】
遮蔽材（１０）と、遮蔽材（１０）を支持する遮蔽材支持部材（１２，１４，１６）と、該遮蔽材支持部材を覆うブラインドカバー（３０）とを有するブラインドにおいて、
前記遮蔽材支持部材（１２，１４，１６）は、固定取付面（２４）に固定されたブラインド支持部材（２２）に着脱可能に取り付けられ、前記ブラインドカバー（３０）は、遮蔽材支持部材の前側を覆う前側カバー（３２）と、遮蔽材支持部材の後側を覆う後側カバー（３４）とからなり、前側カバー（３２）及び後側カバー（３４）は、互いに独立的に前記ブラインド支持部材（２２）に取り付けられ、遮蔽材支持部材がブラインド支持部材（２２）に取り付けられた状態で前側カバー（３２）及び後側カバー（３４）の少なくとも一方はブラインド支持部材（２２）に対して着脱可能であることを特徴とするブラインド。
【請求項２】
前側カバー（３２）及び後側カバー（３４）の少なくとも一方は、遮蔽材支持部材（１２，１４，１６）をブラインド支持部材（２２）に取り付ける取付用ブラケット（２０）と共通の取付用ブラケット（２１）によって、ブラインド支持部材（２２）に取り付けられることを特徴とする請求項１記載のブラインド。
【請求項３】
遮蔽材（１０）と、遮蔽材（１０）を支持する遮蔽材支持部材（１２，１４，１６）と、該遮蔽材支持部材を覆うブラインドカバー（３０）とを有するブラインドにおいて、
前記遮蔽材支持部材（１２，１４，１６）は、固定取付面（２４）に固定されたブラインド支持部材（２２）に着脱可能に取り付けられ、前記ブラインドカバー（３０）は、遮蔽材支持部材の前側を覆う前側カバー（３２）と、遮蔽材支持部材の後側を覆う後側カバー（３４）とからなり、前側カバー（３２）及び後側カバー（３４）の一方は前記ブラインド支持部材（２２）に設けられ、前側カバー（３２）及び後側カバー（３４）の他方はブラインド支持部材（２２）に着脱可能に取り付けられることを特徴とするブラインド。
【請求項４】
前側カバー（３２）及び後側カバー（３４）の前記他方は、遮蔽材支持部材（１２，１４，１６）をブラインド支持部材（２２）に取り付ける取付用ブラケット（２０）と共通の取付用ブラケット（２１）によって、ブラインド支持部材（２２）に取り付けられることを特徴とする請求項３記載のブラインド。
【発明の詳細な説明】
【技術分野】
【０００１】
本発明は、遮蔽材と、遮蔽材支持部材と、該遮蔽材支持部材を覆うブラインドカバーとを有するブラインドに関する。
【背景技術】
【０００２】
従来、この種のブラインドのブラインドカバーとしては、特許文献１に記載されたロールスクリーンの収納ケースが知られている。この収納ケースは、ロールスクリーンの遮蔽材支持部材としての巻取パイプを収納しており、その収納ケースの下面に設けられた間隙から遮蔽材としての生地を引出し可能として美観を向上させるようにしている。
【０００３】
この収納ケースは、具体的には、本体とカバー部材とから構成され、本体は収納ケースの上面、前面及び下面前部を構成し、カバー部材は本体の上面先端に形成された係止溝部から後方へ回動可能に吊下支持されて収納ケースの後面を構成している。
【０００４】
【特許文献１】実開平２−１２３５９１号公報
【発明の開示】
【発明が解決しようとする課題】
【０００５】
しかしながら、上記特許文献１の収納ケースの構成であると、本体とカバー部材とを巻取パイプと一体にして取り付ける必要があり、巻取パイプと収納ケースとを個別に取り付けることができず、収納ケースについてもカバー部材を本体から自由に取り外しできないために、生地の交換やスプリングの初巻調整等のメンテナンス作業を行うためには、巻取パイプ及び収納ケース全体を外さなければ作業を行うことができず、手間がかかる、という課題がある。
【０００６】
本発明はかかる課題に鑑みなされたもので、遮蔽材支持部材を覆うことができて美観を向上させることができると共に、遮蔽材支持部材のメンテナンス作業を簡単に行うことができるブラインドカバーを有するブラインドを提供することをその目的とする。
【課題を解決するための手段】
【０００７】
前述した目的を達成するために、請求項１記載の発明は、遮蔽材と、遮蔽材を支持する遮蔽材支持部材と、該遮蔽材支持部材を覆うブラインドカバーとを有するブラインドにおいて、
前記遮蔽材支持部材は、固定取付面に固定されたブラインド支持部材に着脱可能に取り付けられ、前記ブラインドカバーは、遮蔽材支持部材の前側を覆う前側カバーと、遮蔽材支持部材の後側を覆う後側カバーとからなり、前側カバー及び後側カバーは、互いに独立的に前記ブラインド支持部材に取り付けられ、遮蔽材支持部材がブラインド支持部材に取り付けられた状態で前側カバー及び後側カバーの少なくとも一方はブラインド支持部材に対して着脱可能であることを特徴とする。
【０００８】
請求項２記載の発明は、請求項１記載の前側カバー及び後側カバーの少なくとも一方が、遮蔽材支持部材をブラインド支持部材に取り付ける取付用ブラケットと共通の取付用ブラケットによって、ブラインド支持部材に取り付けられることを特徴とする。
【０００９】
請求項３記載の発明は、遮蔽材と、遮蔽材を支持する遮蔽材支持部材と、該遮蔽材支持部材を覆うブラインドカバーとを有するブラインドにおいて、
前記遮蔽材支持部材は、固定取付面に固定されたブラインド支持部材に着脱可能に取り付けられ、前記ブラインドカバーは、遮蔽材支持部材の前側を覆う前側カバーと、遮蔽材支持部材の後側を覆う後側カバーとからなり、前側カバー及び後側カバーの一方は前記ブラインド支持部材に設けられ、前側カバー及び後側カバーの他方はブラインド支持部材に着脱可能に取り付けられることを特徴とする。
【００１０】
請求項４記載の発明は、請求項３記載の前側カバー及び後側カバーの前記他方が、遮蔽材支持部材をブラインド支持部材に取り付ける取付用ブラケットと共通の取付用ブラケットによって、ブラインド支持部材に取り付けられることを特徴とする。
【発明の効果】
【００１１】
請求項１記載の発明によれば、前側カバーと後側カバーによって少なくとも遮蔽材支持部材の前側と後側とを覆うことができるために、美観を向上させることができる。そして、ブラインド支持部材に対して遮蔽材支持部材が取り付けられている状態で、前側カバー及び後側カバーの少なくとも一方がブラインド支持部材に対して着脱可能であるために、例えば、ブラインドの取付状況に応じては、前側カバー及び後側カバーの一方が不要の場合には、その一方のみを取り外すことができ、または、遮蔽材支持部材のメンテナンスを行う必要がある場合に、必要に応じて前側カバー及び後側カバーの一方のみを取り外して、遮蔽材支持部材がブラインド支持部材に取り付けられた状態でメンテナンス作業を行うことができる。
【００１２】
請求項２記載の発明によれば、共通の取付用ブラケットによって遮蔽材支持部材と、前側カバー及び後側カバーの少なくとも一方とがブラインド支持部材に取り付けられるために、部品の共通化を図ることができる。
【００１３】
請求項３記載の発明によれば、前側カバーと後側カバーによって少なくとも遮蔽材支持部材の前側と後側とを覆うことができるために、美観を向上させることができる。そして、前側カバー及び後側カバーの他方はブラインド支持部材に着脱可能に取り付けられるために、例えば、ブラインドの取付状況に応じては、前側カバー及び後側カバーの他方が不要の場合には、その他方のみを取り外すことができ、または、遮蔽材支持部材のメンテナンスを行う必要がある場合に、必要に応じて前側カバー及び後側カバーの他方のみを取り外して、遮蔽材支持部材がブラインド支持部材に取り付けられた状態でメンテナンス作業を行うことができる。
【００１４】
請求項４記載の発明によれば、共通の取付用ブラケットによって遮蔽材支持部材と、前側カバー及び後側カバーの他方とがブラインド支持部材に取り付けられるために、部品の共通化を図ることができる。
【発明を実施するための最良の形態】
【００１５】
以下、図面を用いて本発明の実施の形態を説明する。
【００１６】
図１は本発明のブラインドの実施形態を表す全体正面図、図２はその側面図である。
【００１７】
ブラインドは、おおまかに、遮蔽材としての生地１０と、生地１０の一端が取り付けられて、生地１０を支持する巻取パイプ１２と、巻取パイプ１２を覆うブラインドカバー３０とを有している。尚、この例ではブラインドとして、ロールスクリーンを例にとっているが、これに限るものではなく、横型ブラインド、縦型ブラインド、プリーツスクリーン、ローマンシェード等の任意のブラインドに適用可能である。
【００１８】
巻取パイプ１２は、サイドブラケット１４に回転可能に支持されており、サイドブラケット１４にはセットフレーム１６が一体的に固定され、これらの巻取パイプ１２、サイドブラケット１４及びセットフレーム１６によって遮蔽材支持部材が構成される。そして、この遮蔽材支持部材のセットフレーム１６が、図３ないし図７に示した取付用ブラケット２０に着脱可能に取り付けられる。
【００１９】
取付用ブラケット２０は、公知の任意の構成のものを使用することができるが、接離方向に相対的に可動となった一対の挟持爪２０ａ、２０ａを有し、該挟持爪２０ａ、２０ａの間でセットフレーム１６をその両側から挟み付けるようになっている（図３）。挟持爪２０ａ、２０ａは、セットフレーム１６を挟み付ける方向に付勢されている。挟持爪２０ａ、２０ａを付勢方向に抗して移動させることにより、セットフレーム１６の取り外しが可能となる。
【００２０】
取付用ブラケット２０は、壁面、窓枠等の固定取付面２４に予め固定されたブラインド支持ブラケット２２の垂直の支持面２２ａにボルト、ビス等によって予め取り付けられている。ブラインド支持ブラケット２２は、その水平の取付面２２ｂが壁面、窓枠等の固定取付面２４にビス等によって取り付けられている（図６参照）。
【００２１】
ブラインドカバー３０は、巻取パイプ１２の前側を主として覆う長尺状の前側カバー３２と、巻取パイプ１２の後側を主として覆う長尺状の後側カバー３４とから構成される。
【００２２】
前側カバー３２はその上部に溝部３２ａを有しており、該溝部３２ａには、ブラインド支持ブラケット２２の取付面２２ｂの先端に一段下がるようにして形成された第２支持面２２ｃが挿入されるようになっており、これによって、前側カバー３２はブラインド支持ブラケット２２に対して着脱可能に取り付けられる。前側カバー３２は、上面３２ｂ、前面３２ｃ及び下面３２ｄを備え、それぞれ巻取パイプ１２の上側、前側及び下側の一部を覆っている。
【００２３】
後側カバー３４は、ブラインド支持ブラケット２２に対して取付用ブラケット２１によって着脱可能に取り付けられる。取付用ブラケット２１は、取付用ブラケット２０と同じ共通の部品を使用することができる。取付用ブラケット２１は、図８Ａ，Ｂに示すように、ブラインド支持ブラケット２２の支持面２２ａに左右方向に並んで且つ前後方向にオフセットされて設けられる第３支持面２２ｄに、ボルト、ビス等によって前記取付用ブラケット２０と反対側、即ち後側を向いて予め取り付けられている。
【００２４】
後側カバー３４にはレール部３４ａが立設されており、レール部３４ａが取付用ブラケット２１の挟持爪２１ａ、２１ａに挟み付けられる。後側カバー３４は、後面３４ｂ、下面３４ｃ及び上面３４ｄを備え、それぞれ巻取パイプ１２の後側及び下側と上側の一部を覆っている。
【００２５】
この例では、さらに、前側カバー３２の側部に、図６及び図１０に示したように、カバーサイドブラケット３６が設けられ、さらに、前側カバー３２及び後側カバー３４には、それぞれ前側サイドキャップ３８と後側サイドキャップ４０とが嵌合されている。
【００２６】
サイドキャップ３８には、垂直面内で揺動可能となった揺動片４２（図１及び図１０参照）が軸着されていてもよく、揺動した揺動片４２がセットフレーム１６に係止されることにより、サイドキャップ３８が遮蔽材支持部材に対して位置決めされるようにしてもよい。また、カバーサイドブラケット３６に設けられた複数の爪部３６ａ（図１０参照）が、サイドブラケット１４に係止されるようにしてもよい。こうしてカバーサイドブラケット及び／またはサイドブラケットによって前側カバー３２と後側カバーの３４の遮蔽材支持部材に対する位置決めを行うようにしてもよい。
【００２７】
巻取パイプ１２にその一端が巻取り・巻解き可能に取り付けられた生地１０は、前記前側カバー３２の下面３２ｄと後側カバー３４の下面３４ｃとの間に形成される前後方向の間隙を挿通する。
【００２８】
生地１０の昇降にあたっては、前側カバー３２と後側カバー３４の間隙を通って生地１０が移動するために、ブラインドカバー３０が生地１０の昇降の邪魔になることはない。
【００２９】
こうして、ブラインドカバー３０の前側カバー３２が巻取パイプ１２の前側と上側を覆い、後側カバー３４が巻取パイプ１２の後側を覆い、前側カバー３２と後側カバー３４の両方で巻取パイプ１２の下側を覆うことにより、ブラインドカバー３０が巻取パイプ１２を含む遮蔽材支持部材の周囲をほぼ覆って巻取パイプ１２をほぼ完全に収容することができる。特に、ブラインドを図６にしたように天井付けで取り付けて室内の間仕切りとして使用した場合などに、巻取パイプ１２が露出しないために、ブラインドの前後から見た意匠を向上させることができる。または、ブラインドを吹き抜け部分に取り付けて、上の階からブラインドが見えるという状況においてもブラインドの上側から見た意匠を向上させることができる。
【００３０】
その際に、図７に示したようにこのブラインドでは、巻取パイプ１２を含む遮蔽材支持部材が取付用ブラケット２０によってブラインド支持ブラケット２２に対して着脱可能に取り付けられる一方で、ブラインドカバー３０のうちの前側カバー３２は直接ブラインド支持ブラケット２２に着脱可能に取り付けられ、後側カバー３４は取付用ブラケット２１によってブラインド支持ブラケット２２に着脱可能に取り付けられる。つまり、これら遮蔽材支持部材、前側カバー３２及び後側カバー３４は、互いに個別に独立的にブラインド支持ブラケット２２に着脱可能に取り付けられるために、自由度が高いものとなっている。
【００３１】
従って、巻取パイプ１２のメンテナンス時には、前側カバー３２または後側カバー３４のいずれか一方を取り外すと、巻取パイプ１２の前側または後側が完全に開放されるので、巻取パイプ１２はブラインド支持ブラケット２２に取り付けた状態のままで、作業を行うことができるようになる。そして、生地１０の交換や巻取パイプ１２内に配設され生地巻取力を付与するスプリングの初巻調整等の作業を行うことができる。
【００３２】
また、ブラインドを窓枠に対して正面付けで取り付ける必要がある場合には、図９に示したように、固定取付面２４に対して、取付用ブラケット２０とブラインド支持ブラケット２２の支持面２２ａとが共締めされる。この場合には、後側カバー３４及び後側サイドキャップ４０は不要であるため取り外されており、取付用ブラケット２１も取り外され、前側カバー３２のみ独立して取り付けられている。
【００３３】
こうして美観を向上させて、自由度の高いブラインドとすることができる。
【００３４】
以上の実施形態では、前側カバー３２と後側カバー３４のいずれもがブラインド支持部材２２に対して着脱可能であり、前側カバー３２と後側カバー３４のいずれもが、一方がブラインド支持部材２２に取り付けた状態で、他方がブラインド支持部材２２に対して着脱可能であるようにしたが、前側カバー３２及び後側カバー３４の一方のみがブラインド支持部材２２に取り付けた状態で、他方のみがブラインド支持部材２２に対して着脱可能であるようにしてもよい。また、前側カバー３２と後側カバー３４の一方がブラインド支持部材２２に対して固定的に取り付けられるか、または、一体的に設けられていてもよく、他方のみがブラインド支持部材２２に着脱可能に取り付けられていてもよい。または、前側カバー３２と後側カバー３４の一方が取付用ブラケット２１に一体的に形成されていてもよい。
【図面の簡単な説明】
【００３５】
【図１】本発明の実施形態にかかるブラインドの全体正面図である。
【図２】図１のブラインドの側面図である。
【図３】図１の３−３線に沿って見た断面図であり、巻取パイプ及び生地は省略している。
【図４】図１の４−４線に沿って見た断面図であり、巻取パイプ、生地、サイドブラケット及びセットフレームは省略している。
【図５】図１の５−５線に沿って見た断面図であり、巻取パイプ、生地、サイドブラケット及びセットフレームは省略している。
【図６】図１の６−６線に沿って見た断面図である。
【図７】ブラインドカバー等の分解断面図である。
【図８Ａ】ブラインド支持ブラケット及び２つの取付用ブラケットを表す正面図である。
【図８Ｂ】ブラインド支持ブラケットの斜視図である。
【図９】ブラインドを正面付けで取り付けた場合の図６相当図である。
【図１０】ブラインドカバーの後側カバーと後側サイドキャップを取り外した状態での側部の斜視図である。
【符号の説明】
【００３６】
１０  生地（遮蔽材）
１２  巻取パイプ（遮蔽材支持部材）
１４  サイドブラケット（遮蔽材支持部材）
１６  セットフレーム（遮蔽材支持部材）
２０、２１  取付用ブラケット
２２  ブラインド支持ブラケット(ブラインド支持部材)
２４  固定取付面
３０  ブラインドカバー
３２  前側カバー
３４  後側カバー
【図１】
2006214102.tif 000003
【図２】
2006214102.tif 000004
【図３】
2006214102.tif 000005
【図４】
2006214102.tif 000006
【図５】
2006214102.tif 000007
【図６】
2006214102.tif 000008
【図７】
2006214102.tif 000009
【図８Ａ】
2006214102.tif 000010
【図８Ｂ】
2006214102.tif 000011
【図９】
2006214102.tif 000012
【図１０】
2006214102.tif 000013